(57)【要約】【課題】省スペースに設置可能な浄化ユニットの提供。【解決手段】浄化ユニット５は、浄化部５１、受光センサ５２及び濃度演算部６１ａを備える。浄化部５１は、水に光を照射することにより、水を浄化する。受光センサ５２は、水を透過した照射部５１からの光を受光する。濃度演算部６１ａは、受光センサ５２が受光した光の強度に基づいて、水に含まれる汚染物質の濃度を演算する。【選択図】図１
2008302288.tif 000002
【特許請求の範囲】
【請求項１】
水に光を照射することにより、前記水を浄化する光照射式浄化部（５１）と、
前記水を透過した前記光照射式浄化部（５１）からの光を受光する受光部（５２）と、
前記受光部（５２）が受光した光の強度に基づいて、前記水に含まれる汚染物質の濃度を求める濃度演算部（６１ａ）と、
を備える、浄化ユニット（５）。
【請求項２】
前記光照射式浄化部（５１）が照射する光は、紫外線である、
請求項１に記載の浄化ユニット（５）。
【請求項３】
前記光照射式浄化部（５１）が照射する光には、互いに異なる波長領域を有する光が複数含まれている、
請求項１に記載の浄化ユニット（５’）。
【請求項４】
前記光照射式浄化部（５１）が照射する光には、少なくとも紫外線及び可視光線が含まれている、
請求項３に記載の浄化ユニット（５’）。
【請求項５】
前記受光部（５２）が受光した光の強度及び演算された前記汚染物質の濃度の少なくとも１つに基づいて、前記光照射式浄化部（５１）を制御する第１制御部（６１ｂ）を更に備える、
請求項１〜４のいずれかに記載の浄化ユニット（５）。
【請求項６】
前記第１制御部（６１ｂ）は、前記受光部（５２）が受光した光の強度における単位時間あたりの変化率または演算された前記汚染物質の濃度のいずれか１つに基づいて、前記光照射式浄化部（５１）の浄化動作をオン及びオフさせる、
請求項５に記載の浄化ユニット（５）。
【請求項７】
前記第１制御部（６１ｂ）は、前記濃度演算部（６１ａ）により求められた前記汚染物質の濃度に基づいて、前記光照射式浄化部（５１）が照射する前記光の強度を制御する、
請求項５または６に記載の浄化ユニット（５）。
【請求項８】
前記光照射式浄化部（５１）は、内部に前記水が流れる第１配管（１６）に設置され、
前記第１制御部（６１ｂ）は、前記第１配管（１６）を流れる水の量が所定量以下である場合、前記光照射式浄化部（５１）による前記光の照射を停止させる、
請求項５〜７のいずれかに記載の浄化ユニット（５）。
【請求項９】
前記第１制御部（６１ｂ）は、前記第１配管（１６）を流れる水の量が所定量以下である場合、前記受光部（５２）を更に停止させる、
請求項８に記載の浄化ユニット（５）。
【請求項１０】
前記光照射式浄化部（５１）及び前記受光部（５２）は、内部に前記水が流れる第２配管（１６）に設置され、
前記第２配管（１６）に配置されており、前記第２配管（１６）を流れる前記水の温度を検知する温度検知部（Ｔｈ８）と、
前記受光部（５２）が受光した前記光の強度及び推定された前記水の汚染度の少なくとも１つを、前記温度検知部（Ｔｈ８）により検知された前記水の温度に基づいて補正する温度補正部（６１ｄ）と、
を更に備え、
前記第１制御部（６１ｂ）は、前記温度補正部（６１ｄ）により補正された前記光の強度及び前記水の汚染度の少なくとも１つに基づいて、前記光照射式浄化部（５１）を制御する、
請求項５〜９のいずれかに記載の浄化ユニット（５’’）。
【請求項１１】
前記光照射式浄化部（５１）及び前記受光部（５２）は、前記水を供給口（１３ｂ）に供給するための第３配管（１６）に設置され、
前記濃度演算部（６１ａ）により求められた前記汚染物質の濃度に基づいて、前記第３配管（１６）内を流れる前記水の量を制御する第２制御部（６１ｃ）を更に備える、
請求項１〜１０のいずれかに記載の浄化ユニット（５）。
【請求項１２】
前記濃度演算部（６１ａ）により求められた前記汚染物質の濃度を報知する報知部（４２）を更に備える、
請求項１〜１１のいずれかに記載の浄化ユニット（５）。
【請求項１３】
前記水は、加熱される前あるいは加熱された後の水であって、
前記光照射式浄化部（５１）及び前記受光部（５２）は、加熱される前の前記水に光を照射できる位置及び加熱される前の前記水を透過した光を受光できる位置に、それぞれ配置されている、
請求項１〜１２のいずれかに記載の浄化ユニット（５）。
【発明の詳細な説明】
【技術分野】
【０００１】
本発明は、浄化ユニットに関する。
【背景技術】
【０００２】
従来より、水を供給するシステムには、水を浄化するための浄化ユニットを搭載したものがある。これにより、システムの利用者は、浄化された水を利用することができる。
【０００３】
ここで、水を浄化するための技術としては、例えば特許文献１に示すように、水に紫外線を照射する方法が知られている。
【特許文献１】特開平９−１７４０４７号公報
【発明の開示】
【発明が解決しようとする課題】
【０００４】
ところで、水の浄化を確実に行うためには、浄化ユニットは、水が十分に浄化される程度に浄化運転を行う必要がある。このような場合、水の浄化が適切に行われているか否かを判断するための機器を浄化ユニットに備えさせる方法が考えられる。しかしながら、機器が増える程、浄化ユニット自体の大きさが増大してしまい、浄化ユニットの設置が困難となる恐れがある。
【０００５】
そこで、本発明は、省スペースに設置可能な浄化ユニットの提供を目的とする。
【課題を解決するための手段】
【０００６】
発明１に係る浄化ユニットは、光照射式浄化部と、受光部と、濃度演算部とを備える。光照射式浄化部は、水に光を照射することにより、水を浄化する。受光部は、水を透過した光照射式浄化部からの光を受光する。濃度演算部は、受光部が受光した光の強度に基づいて、水に含まれる汚染物質の濃度を求める。
【０００７】
この浄化ユニットによると、水の浄化用として用いられる光は、水中の汚染物質の濃度を求める時にも用いられる。そのため、水を浄化するための浄化用の光源と、水中の汚染物質の濃度を求めるために水中に光を照射する濃度演算用の光源とを、別々に設けずに済む。従って、コストを削減することができる他、浄化ユニット自体が小型化するため、浄化ユニットを比較的小さいスペースに設置することができる。
【０００８】
発明２に係る浄化ユニットは、発明１に係る浄化ユニットであって、光照射式浄化部が照射する光は、紫外線である。
【０００９】
この浄化ユニットによると、水中の汚染物質は、紫外線により分解される。
【００１０】
発明３に係る浄化ユニットは、発明１に係る浄化ユニットであって、光照射式浄化部が照射する光には、互いに異なる波長領域を有する光が複数含まれている。
【００１１】
これにより、例えば泡や浮遊物、入浴剤等の、汚染物質以外の物質が水中に含まれている場合であっても、浄化ユニットの濃度演算部は、その影響を受けることなく汚染物質の濃度を求めることができる。
【００１２】
発明４に係る浄化ユニットは、発明３に係る浄化ユニットであって、光照射式浄化部が照射する光には、少なくとも紫外線及び可視光線が含まれている。
【００１３】
この浄化ユニットによると、光照射式浄化部により照射される紫外線は、汚染物質及び汚染物質以外の物質により吸収される。一方で、可視光線は、汚染物質以外の物質においては吸収されるが、汚染物質においては透過される。従って、例えば受光部により受光された紫外線の強度と可視光線の強度とに基づいて水の汚染物質の濃度が求められることにより、求められた水の汚染物質の濃度は、汚染物質以外の物質の影響を受けにくくなる。
【００１４】
発明５に係る浄化ユニットは、発明１〜４のいずれかに係る浄化ユニットであって、第１制御部を更に備える。第１制御部は、受光部が受光した光の強度及び演算された汚染物質の濃度の少なくとも１つに基づいて、光照射式浄化部を制御する。
【００１５】
この浄化ユニットによると、光の強度及び水の汚染物質の濃度の少なくとも１つに基づいて、例えば光照射式浄化部が水を浄化する時の浄化度合いや、浄化運転の開始及び終了等が制御される。これにより、浄化対象となる水の浄化度を適切に保つことができる。
【００１６】
発明６に係る浄化ユニットは、発明５に係る浄化ユニットであって、第１制御部は、受光部が受光した光の強度における単位時間あたりの変化率または演算された汚染物質の濃度のいずれか１つに基づいて、光照射式浄化部の浄化動作をオン及びオフさせる。
【００１７】
この浄化ユニットは、例えば、経時的に変化する透過光強度の度合いが所定の度合いよりも急である時には、水中の汚染物質の濃度が変化していることに相当するため、水の浄化運転を継続する。そして、透過光強度の度合いが所定の度合いよりも緩やかである時には、水中の汚染物質の濃度が比較的変化しない程度にまで至ったことに相当するため、浄化ユニットは、水の浄化運転を停止する。これにより、浄化ユニットは、水中の汚染物質の濃度を、適切な濃度に減少させることができる。
【００１８】
発明７に係る浄化ユニットは、発明５または６に係る浄化ユニットであって、第１制御部は、濃度演算部により求められた汚染物質の濃度に基づいて、光照射式浄化部が照射する光の強度を制御する。
【００１９】
この浄化ユニットは、例えば、水の汚染物質の濃度が高い程紫外線の強度を強める等の制御を行う。このように、浄化ユニットは、水の汚染物質の濃度に基づいて光照射式浄化部が照射する光の強度を制御することにより、水を適切に浄化することができる。
【００２０】
発明８に係る浄化ユニットは、発明５〜７のいずれかに係る浄化ユニットであって、光照射式浄化部は、内部に水が流れる第１配管に設置されている。そして、第１制御部は、第１配管を流れる水の量が所定量以下である場合、光照射式浄化部による光の照射を停止させる。
【００２１】
この浄化ユニットによると、第１配管内を流れる水の量が所定量以下である時に、光照射式浄化部により無駄に光が照射されることを防ぐことができるため、光照射式浄化部が光を照射する際に消費されるエネルギーを節減することができる。特に、光照射式浄化部により照射される光が紫外線である場合には、紫外線により第１配管が劣化することを防止することができる。
【００２２】
発明９に係る浄化ユニットは、発明８に係る浄化ユニットであって、第１制御部は、第１配管を流れる水の量が所定量以下である場合、受光部を更に停止させる。
【００２３】
この浄化ユニットによると、第１配管内を流れる水の量が所定量以下である時には、光照射式浄化部及び受光部が共に停止される。従って、光照射式浄化部による光の照射のみを停止させる場合よりも、消費されるエネルギーをより節減することができる。また、第１配管内に流れる水が適切な量でないと、光の反射、屈折、散乱等の影響により、受光部は光を正確には受光できなくなる。しかし、この浄化ユニットの受光部は、第１配管を流れる水の量が所定量以下である時は停止するため、第１配管を流れる水の量が所定量よりも多い時にのみ受光を行う。これにより、受光部は、安定した強度を有する光を受光することができる。
【００２４】
発明１０に係る浄化ユニットは、発明５〜９のいずれかに係る浄化ユニットであって、光照射式浄化部及び受光部は、内部に水が流れる第２配管に設置されている。この浄化ユニットは、温度検知部と温度補正部とを更に備える。温度検知部は、第２配管に配置されており、第２配管を流れる水の温度を検知する。温度補正部は、受光部が受光した光の強度及び推定された水の汚染度の少なくとも１つを、温度検知部により検知された水の温度に基づいて補正する。そして、第１制御部は、温度補正部により補正された光の強度及び水の汚染度の少なくとも１つに基づいて、光照射式浄化部を制御する。
【００２５】
光照射式浄化部が照射する光の強度及び波長は、照射される水の温度の影響により、ドリフトしてしまう場合がある。そこで、この浄化ユニットは、照射される光の強度及び水の汚染度の少なくとも１つを、水の温度により補正し、補正された光の強度や水の汚染度に基づいて光照射式浄化部を制御する。これにより、光照射式浄化部は、ドリフトした光の強度及び波長の影響を受けることなく、適切に制御される。
【００２６】
発明１１に係る浄化ユニットは、発明１〜１０のいずれかに係る浄化ユニットであって、光照射式浄化部及び受光部は、水を供給口に供給するための第３配管に設置されている。そして、浄化ユニットは、第２制御部を更に備える。第２制御部は、濃度演算部により求められた汚染物質の濃度に基づいて、第３配管内を流れる水の量を制御する。
【００２７】
この浄化ユニットは、例えば、水の汚染物質の濃度が高い程、第３配管内を流れる水の量が少なくなるように制御し、水の汚染物質の濃度が低い程、第３配管内を流れる水の量が多くなるように制御する。このように、水の汚染物質の濃度に基づいて第３配管内を流れる水の量が制御されることにより、供給口には、確実に浄化された水が供給されるようになる。
【００２８】
発明１２に係る浄化ユニットは、発明１〜１１のいずれかに係る浄化ユニットであって、報知部を更に備える。報知部は、濃度演算部により求められた汚染物質の濃度を報知する。
【００２９】
これにより、利用者は、水中の汚染物質の濃度を知ることができる。
【００３０】
発明１３に係る浄化ユニットは、発明１〜１２のいずれかに係る浄化ユニットであって、水は、加熱される前あるいは加熱された後の水である。この場合、光照射式浄化部及び受光部は、加熱される前の水に光を照射できる位置及び加熱される前の水を透過した光を受光できる位置に、それぞれ配置されている。
【００３１】
これにより、光照射式浄化部及び受光部は、加熱された後の水に光を照射する位置及び受光する位置に配置されるよりも、水の温度による影響を受けにくくなる。従って、光照射式浄化部及び受光部が、加熱後の水に光を照射及び受光する位置にそれぞれ配置される場合よりも、光照射式浄化部及び受光部の寿命を長くすることができる。
【発明の効果】
【００３２】
発明１に係る浄化ユニットによると、水を浄化するための浄化用の光源と、水中の汚染物質の濃度を求めるために水中に光を照射する濃度演算用の光源とを、別々に設けずに済む。従って、コストを削減することができる他、浄化ユニット自体が小型化するため、浄化ユニットを比較的小さいスペースに搭載することができる。
【００３３】
発明２に係る浄化ユニットによると、水中の汚染物質は、紫外線により分解される。
【００３４】
発明３及び発明４に係る浄化ユニットは、例えば泡や浮遊物、入浴剤等の、汚染物質以外の物質が水中に含まれている場合であっても、その影響を受けることなく汚染物質の濃度を求めることができる。
【００３５】
発明５に係る浄化ユニットによると、浄化対象となる水の浄化度を適切に保つことができる。
【００３６】
発明６に係る浄化ユニットは、水中の汚染物質の濃度を、適切な濃度に減少させることができる。
【００３７】
発明７に係る浄化ユニットは、水の汚染物質の濃度に基づいて光照射式浄化部が照射する光の強度を制御するため、水を適切に浄化することができる。
【００３８】
発明８に係る浄化ユニットによると、光照射式浄化部が光を照射する際に消費されるエネルギーを節減することができる。特に、光照射式浄化部により照射される光が紫外線である場合には、紫外線により第１配管が劣化することを防止することができる。
【００３９】
発明９に係る浄化ユニットによると、光照射式浄化部による光の照射のみを停止させる場合よりも、消費されるエネルギーをより節減することができる。また、受光部は、安定した強度を有する光を受光することができる。
【００４０】
発明１０に係る浄化ユニットによると、光照射式浄化部は、ドリフトした光の強度及び波長の影響を受けることなく、適切に制御される。
【００４１】
発明１１に係る浄化ユニットは、水の汚染物質の濃度に基づいて第３配管内を流れる水の量を制御するため、供給口には、確実に浄化された水が供給されるようになる。
【００４２】
発明１２に係る浄化ユニットによると、利用者は、水中の汚染物質の濃度を知ることができる。
【００４３】
発明１３に係る浄化ユニットによると、光照射式浄化部及び受光部を、加熱後の水に光を照射及び受光する位置にそれぞれ配置する場合よりも、光照射式浄化部及び受光部の寿命を長くすることができる。
【発明を実施するための最良の形態】
【００４４】
以下、図面に基づいて、本発明に係る浄化ユニットについて説明する。
【００４５】
（１）給湯システムの構成
図１は、本発明の一実施形態に係る浄化ユニットが採用された給湯システムの構成図である。図１の給湯システム２００は、いわゆるヒートポンプ式の貯湯給湯システムであって、加熱給湯部１、リモートコントローラ４及び制御部６を備えている。
【００４６】
〔加熱給湯部〕
加熱給湯部１は、水を加熱し、加熱された水を水栓１２や浴槽１３の浴槽吐出口１３ｂ等の供給口に供給するためのものであって、熱源ユニット２と貯湯タンクユニット３とを有している。尚、以下において、「水路」は、内部に水が通る配管で形成されている。
【００４７】
〔熱源ユニット〕
熱源ユニット２は、図２に示すように、圧縮機２１、水熱交換器２２、膨張弁２３及び蒸発器２４を有しており、これらが順次接続されて冷凍サイクルを構成している。水熱交換器２２には、貯湯タンクユニット３から送られてくる水が通る熱交換水路２５が設けられており、熱交換水路２５中を流れる水と冷媒との間で熱交換を行うことができる。膨張弁２３は、電気的に制御される電動弁であって、圧縮機２１と共に制御部６により制御される。この熱源ユニット２では、圧縮機２１を駆動して冷媒を循環させることにより、水熱交換器２２を凝縮器として機能させ、熱交換水路２５中を通る水を加熱することができる。
【００４８】
〔貯湯タンクユニット〕
貯湯タンクユニット３は、熱源ユニット２によって加熱された水を蓄えておき、蓄えた水を浴槽１３や水栓１２に供給する際に用いられる機能部である。貯湯タンクユニット３は、貯湯タンク７、水源取水部８、沸き上げ部９、給湯部１０及び追い炊き部１１を有している。
【００４９】
〔貯湯タンク〕
貯湯タンク７は、熱源ユニット２によって加熱された水を蓄える。貯湯タンク７の下部には、第１下部取水口７１が設けられており、貯湯タンク７の上部には上部吐出口７２が設けられている。第１下部取水口７１は、水道等の水源からの水を貯湯タンク７に取り入れるための部分である。上部吐出口７２は、貯湯タンク７に蓄えられた水を貯湯タンク７から吐出して給湯部１０に供給するための部分である。また、貯湯タンク７の下部には下部吐出口７３が設けられており、貯湯タンク７の上部には上部取水口７４が設けられている。下部吐出口７３は、貯湯タンク７内に蓄えられた水を貯湯タンク７から吐出して沸き上げ部９に供給するための部分である。上部取水口７４は、熱源ユニット２によって加熱された水を貯湯タンク７の上部から貯湯タンク７内に取り入れるための部分である。更に、貯湯タンク７の下部には、下部循環入口７５が設けられ、貯湯タンク７の上部には上部循環出口７６が設けられている。上部循環出口７６は、追い炊き部１１による追い炊き運転時に、貯湯タンク７から貯湯タンク循環路１４（後述）に吐出される水が通る出口である。下部循環入口７５は、追い炊き運転時に、貯湯タンク循環路１４から貯湯タンク７に戻される水が通る入口である。
【００５０】
そして、貯湯タンク７の下部には、排水口７７及び第２下部取水口７８が設けられている。排水口７７は、タンク排水路７９に接続されており、貯湯タンク７内から排出される水が通過する。第２下部取水口７８は、熱源ユニット２によって加熱された水を貯湯タンク７の下部から貯湯タンク７内に取り入れるための部分である。
【００５１】
また、貯湯タンク７内には、５つのサーミスタＴｈ１，Ｔｈ２，Ｔｈ３，Ｔｈ４，Ｔｈ５が取り付けられている。これらのサーミスタＴｈ１〜Ｔｈ５は、貯湯タンク７内に蓄えられた水の温度を検出するためのものであって、高さの異なる複数位置での水の温度を検出することができる。尚、各サーミスタＴｈ１〜Ｔｈ５により検出された水の温度は、制御部６に取り込まれる。
【００５２】
〔水源取水部〕
水源取水部８は、水源からの水を貯湯タンク７や給湯部１０に供給するための部分であって、水源取水路８０及び減圧逆止弁８１を有している。水源取水路８０は、水源に接続される外部取水口８２、貯湯タンク７の下部取水口７１、水栓給湯部１０１の第１混合弁１０３（後述）、及び浴槽給湯部１０２の第２混合弁１０６（後述）を繋いでいる。減圧逆止弁８１は、水源取水路８０に設けられており、貯湯タンク７、水栓給湯部１０１、浴槽給湯部１０２に供給される水の量を制御可能であると共に、水源への水の逆流を防止する。
【００５３】
〔沸き上げ部〕
沸き上げ部９は、貯湯タンク７に蓄えられた水を熱源ユニット２に送り、熱源ユニット２により加熱された水を貯湯タンク７に戻す部分であって、第１沸き上げ水路９１、第２沸き上げ水路９２、第３沸き上げ水路９３、沸き上げポンプ９４及び三方切替弁９５を有する。第１沸き上げ水路９１は、貯湯タンク７の下部吐出口７３と、熱源ユニット２における熱交換水路２５の上流側とを繋いでいる。第２沸き上げ水路９２及び第３沸き上げ水路９３は、熱交換水路２５の下流側と貯湯タンク７の上部取水口７４とを繋いでいる。沸き上げポンプ９４は、第１沸き上げ水路９１に設けられており、貯湯タンク７から第１沸き上げ水路９１、熱交換水路２５、第２沸き上げ水路９２、第３沸き上げ水路９３を経て貯湯タンク７に戻る水の流れを生成する。三方切替弁９５は、第２沸き上げ水路９２、第３沸き上げ水路９３及び第２下部取水口７８に接続されている。三方切替弁９５は、電気的に制御される電磁弁であって、第２沸き上げ水路９２及び第３沸き上げ水路９３を接続した状態と、第２沸き上げ水路９２及び第２下部取水口７８を接続した状態とに切り替え可能である。
【００５４】
〔給湯部〕
給湯部１０は、貯湯タンク７に蓄えられた水を水栓１２や浴槽１３に供給するためのものであって、給湯路１００、水栓給湯部１０１及び浴槽給湯部１０２を有する。
【００５５】
給湯路１００は、貯湯タンク７の上部吐出口７２と水栓給湯部１０１とを繋ぐと共に、上部吐出口７２と浴槽給湯部１０２とを繋ぐ水路である。
【００５６】
水栓給湯部１０１は、貯湯タンク７に蓄えられた水や水源からの水を水栓１２に供給するためのものであって、水栓給湯路１０４と第１混合弁１０３とを有する。水栓給湯路１０４は、第１混合弁１０３を介して給湯路１００及び水源取水路８０に接続されており、給湯路１００及び水源取水路８０と水栓１２とを繋ぐ水路である。第１混合弁１０３は、電気的に制御される電磁弁であって、給湯路１００と水栓給湯路１０４とを接続した状態、または水源取水路８０と水栓給湯路１０４とを接続した状態に切り換えることができる。また、第１混合弁１０３は、給湯路１００を通過してきた水と、水源取水路８０を通過してきた水とを混合し、利用者が所望する温度の水を水栓給湯路１０４に送ることもできる。尚、第１混合弁１０３と給湯路１００との接続部分、及び第１混合弁１０３と水源取水路８０との接続部分には、貯湯タンク７への逆流及び水源への逆流をそれぞれ防ぐための逆止弁（図示せず）が設けられている。
【００５７】
尚、水栓給湯路１０４には、サーミスタＴｈ６及び給湯水量センサＳＮ１が設けられている。サーミスタＴｈ６は、水栓給湯路１０４内を通過する水の温度を検出するためのものであって、給湯水量センサＳＮ１は、水栓給湯路１０４により水栓１２に供給される水の量を検出するためのものである。サーミスタＴｈ６及び給湯水量センサＳＮ１それぞれにより検出された水の温度及び水の量は、制御部６に取り込まれる。
【００５８】
浴槽給湯部１０２は、貯湯タンク７内の水や水源からの水を浴槽１３に供給するためのものであって、浴槽給湯路１０５と第２混合弁１０６とを有する。浴槽給湯路１０５は、第２混合弁１０６を介して給湯路１００と水源取水路８０とに接続されており、給湯路１００と浴槽１３とを繋ぐと共に、水源取水路８０と浴槽１３とを繋ぐ水路である。第２混合弁１０６は、電気的に制御される電磁弁であって、給湯路１００と浴槽給湯路１０５とを接続した状態、または水源取水路８０と浴槽給湯路１０５とを接続した状態に切り換えることができる。また、第２混合弁１０６は、給湯路１００を通過した水と水源取水路８０を通過した水とを混合し、利用者が所望する温度の水を浴槽給湯路１０５に送ることもできる。尚、第２混合弁１０６と給湯路１００との接続部分、及び第２混合弁１０６と水源取水路８０との接続部分には、貯湯タンク７への逆流を防ぐための逆止弁（図示せず）が設けられている。
【００５９】
また、浴槽給湯路１０５には、流量調節弁１０７、浴槽湯水量センサＳＮ２及びサーミスタＴｈ７が設けられている。流量調節弁１０７は、浴槽１３に供給する水の量を調整するためのものであって、浴槽湯水量センサＳＮ２は、浴槽給湯部１０２により浴槽１３に供給される水の量を検出するためのものである。サーミスタＴｈ７は、浴槽１３に水が供給される場合に、浴槽給湯路１０５内を流れる水の温度を検知するためのものである。尚、浴槽湯水量センサＳＮ２やサーミスタＴｈ７により検出された水の量は、制御部６に取り込まれる。
【００６０】
〔追い炊き部〕
追い炊き部１１は、浴槽１３に蓄えられた水を回収して貯湯タンク７に蓄えられた水と熱交換を行わせた後に浴槽１３に戻すための部分であって、貯湯タンク循環路１４、タンク循環ポンプ１５、浴槽循環路１６（第１配管、第２配管及び第３配管に相当）、浴槽循環ポンプ１７及び追い炊き熱交換部１８を有している。
【００６１】
貯湯タンク循環路１４は、貯湯タンク７の上部循環出口７６と、追い炊き熱交換部１８と、下部循環入口７５とを繋ぐ水路である。タンク循環ポンプ１５は、貯湯タンク７の内部から上部循環出口７６を通って吐出され貯湯タンク循環路１４を通過し、下部循環入口７５を経て貯湯タンク７に戻される水の流れを生成する。浴槽循環路１６は、浴槽１３から回収される水が通過する浴槽回収口１３ａと、追い炊き熱交換部１８と、浴槽１３に吐出される水が通る浴槽吐出口１３ｂとを繋ぐ水路であって、浴槽１３中の水が追い炊き熱交換部１８により熱交換され、浴槽吐出口１３ｂを介して浴槽１３に戻されるように設けられている。浴槽循環ポンプ１７は、浴槽１３内から浴槽回収口１３ａを通り、浴槽循環路１６を経て浴槽吐出口１３ｂから浴槽１３に戻される水の流れを生成する。追い炊き熱交換部１８は、貯湯タンク循環路１４を通る高温の水と、浴槽循環路１６を通る水との間で熱交換を行わせることで、浴槽１３中の水を加熱可能な熱交換器である。尚、貯湯タンク循環路１４のうち追い炊き熱交換部１８の下流であり、且つ浴槽循環ポンプ１７の上流である部分には、浴槽給湯路１０５が接続されている。このため、浴槽給湯部１０２によって浴槽１３に供給される水は、浴槽給湯路１０５から浴槽循環路１６に入り、浴槽循環路１６の一部を経て浴槽１３に供給される。
【００６２】
そして、浴槽循環路１６のうち、浴槽回収口１３ａと追い炊き熱交換部１８とを繋ぐ浴槽循環路１６には、水位センサ１９ａ、水流スイッチ１９ｂ、サーミスタＴｈ８及び浄化ユニット５が設けられている。水位センサ１９ａは、浴槽１３の水位を検出するためのものであって、具体的には、浴槽回収口１３ａの圧力値に応じて浴槽１３の水位を検出可能ないわゆる圧力センサである。水流スイッチ１９ｂは、浴槽循環路１６内における水の流れを検出するためのものであって、浴槽循環路１６内を流れる水の量が所定量（第１所定量及び第２所定量に相当）以上である時にはオンし、浴槽循環路１６内を流れる水の量が所定量未満の時にはオフする。ここで、本実施形態では、所定量が略“０”である場合を例にとる。即ち、本実施形態に係る水流スイッチ１９ｂは、浴槽循環路１６内を水が流れていない時にはオフし、流れている時にはオンする。サーミスタＴｈ８は、追い炊き熱交換部１８で加熱される前の、浴槽１３内の水の温度を検出する。水位センサ１９ａ及び水流スイッチ１９ｂによる検出結果やサーミスタＴｈ８により検出された水の温度は、制御部６に取り込まれる。浄化ユニット５は、浴槽循環路１６を流れる水を浄化するためのものである。尚、浄化ユニット５については、後述する。
【００６３】
〔リモートコントローラ〕
リモートコントローラ４は、加熱給湯部１の運転を遠隔操作するためのものであって、台所や浴室に配置されている。リモートコントローラ４は、図３及び図４に示すように、操作部４１、表示部４２（報知部に相当）及び通信部４３を備えている。
【００６４】
操作部４１は、各種運転の実行指示ボタンや数値の設定ボタンによって構成されており、これらのボタンが利用者により押されると、これを受け付ける。ここで、各種運転の実行指示ボタンとしては、図３に示すように、追い炊き運転指示ボタンや、浄化運転指示ボタン等が挙げられる。また、数値の設定ボタンは、浴槽１３及び水栓１２に供給される水の給湯温度や、浴槽１３に供給される水の目標水位等を設定するためのボタンである。
【００６５】
表示部４２は、例えば液晶ディスプレイで構成されており、図３に示すように、操作部４１を用いて設定された給湯温度や、浴槽１３内の残湯量４２ａ、浄化ユニット５の濃度演算部６１ａ（後述）により演算された浴槽１３内の水の汚染度４２ｂ（即ち、水に含まれる汚染物質の濃度）を表示する。
【００６６】
通信部４３は、図４に示すように、通信インターフェース６３（後述）を介して制御部６と通信を行う。例えば、通信部４３は、操作部４１の各種ボタンが押された場合、押されたボタンに基づく運転指示や給湯温度等を含む制御信号を、通信インターフェース６３に送信する。
【００６７】
〔制御部〕
制御部６は、図４に示すように、ＣＰＵ６１やメモリ６２、リモートコントローラ４と通信を行うための通信インターフェース６３で構成されるマイクロコンピュータであって、熱源ユニット２や貯湯タンクユニット３に分かれて設けられている。尚、メモリ６２は、ＣＰＵ６１が読み出して実行するための各種制御プログラム等を記憶している他、サーミスタＴｈ１~Ｔｈ８や各種センサ等により検出された検出結果が一時的に格納される、いわゆるワークメモリとしても機能する。制御部６は、主として、第１及び第２混合弁１０３，１０６、圧縮機２１、サーミスタＴｈ１〜Ｔｈ８、水流スイッチ１９ｂ、タンク循環ポンプ１５，沸き上げポンプ９４、各種水量センサＳＮ１，ＳＮ２及び水位センサ１９ａと接続されており、サーミスタＴｈ１〜Ｔｈ８や各種センサＳＮ１，ＳＮ２，１９ａから送られてくる検出結果やリモートコントローラ４から送られてくる制御信号に基づいて、接続された各種機器の制御を行う。また、制御部６は、例えば水位センサ１９ａにより検出された浴槽１３中の水位や水中の汚染物質の濃度などの、給湯システム２００の運転に関する各種情報をリモートコントローラ４の表示部４２に表示させることができる。
【００６８】
更に、制御部６は、浴槽循環ポンプ１７や、浄化ユニット５の浄化部５１（後述）及び受光センサ５２（後述）とも接続されており、これらの制御用装置としても機能するが、これについては後述する。
【００６９】
（２）浄化ユニットの構成
次に、本実施形態の一特徴である浄化ユニット５について説明する。浄化ユニット５は、浴槽１３に蓄えられた水を浄化するためのものであって、図１及び図４に示すように、浄化部５１（光照射式浄化部に相当）、受光センサ５２、浄化ユニット５の制御用装置として機能する濃度演算部６１ａ、浄化制御部６１ｂ（第１制御部に相当）、ポンプ制御部６１ｃ（第２制御部に相当）を有する。
【００７０】
〔浄化部及び受光センサ〕
浄化部５１は、浴槽循環路１６を流れる水（具体的には、追い炊き熱交換部１８により加熱される前の水）に光を照射することにより、水を浄化する紫外線照射式の浄化部であって、光を照射するための光源を含む構成を有する。浄化部５１が照射する光の種類としては、水中の汚染物質を分解可能な紫外線が挙げられるが、以下では、浄化部５１が紫外線を照射する場合を例にとる。受光センサ５２は、加熱前の水を透過した浄化部５１からの紫外線を受光するためのものであって、浴槽循環路１６を挟んで浄化部５１と対向する位置に設けられている。受光センサ５２により受光された紫外線は、制御部６に取り込まれる。
【００７１】
ここで、図５に示すように、浴槽循環路１６のうち、浄化部５１及び受光センサ５２が配置される浴槽循環路１６の部分１６ａは、浄化部５１等が設置されていない部分１６ｂとは別に、浄化部５１により照射される紫外線を透過可能な材質で形成されている。このような材質としては、例えばガラスやアクリル樹脂等が挙げられる。これにより、浄化部５１から照射された紫外線は、光を透過可能な材質で形成された部分１６ａを介して浴槽循環路１６内を流れる水に入射される。従って、浄化部５１から照射された紫外線は、浴槽循環路１６内を流れる水を浄化することができ、受光センサ５２は、受光センサ５２側の部分１６ａを介して、浄化部５１から照射された紫外線のうち水中を透過した紫外線を受光することができる。
【００７２】
〔濃度演算部〕
濃度演算部６１ａは、受光センサ５２が受光した紫外線の強度に基づいて、浴槽１３中の水に含まれる汚染物質の濃度を演算する。濃度演算部６１ａが水に含まれる汚染物質の濃度を演算する方法としては、紫外線の強度に基づいて検量線を引くことにより、汚染物質毎の濃度を求める方法が挙げられる。尚、検量線は、紫外線の強度と汚染物質の含有量との関係をグラフ化したものであって、汚染物質の種類等によりグラフは異なるものとなる。そこで、検量線を用いて水中の汚染物質の濃度を求める場合、メモリ６２には、制御プログラムの他、あらかじめ水に含まれると想定される汚染物質毎の検量線のデータや、濃度演算部６１ａが実際に検量線を引く時に用いられる定数等が格納されている。そして、濃度演算部６１ａは、メモリ６２内の定数と受光センサ５２が受光した各波長の光の強度から、汚染物質毎の濃度を推定する。
【００７３】
〔浄化制御部〕
浄化制御部６１ｂは、受光センサ５２が受光した紫外線の強度及び演算された水中の汚染物質の濃度の少なくとも１つに基づいて、浄化部５１を制御する。具体的には、浄化制御部６１ｂは、浄化部５１の浄化動作の開始や終了を制御したり、浄化部５１が照射する紫外線の強度を制御したりする。更に、本実施形態に係る浄化制御部６１ｂは、受光センサ５２のオン及びオフも制御する。以下、浄化制御部６１ｂが行う浄化部５１の制御について具体的に説明する。
【００７４】
先ず、浄化制御部６１ｂが浄化動作の開始や停止（即ち、紫外線照射の開始や停止）と、受光センサ５２のオン及びオフとを制御する場合について説明する。浄化制御部６１ｂは、浴槽循環路１６内に水が流れて水流スイッチ１９ｂがオンとなった場合、浄化動作が開始されるように、浄化部５１を制御すると共に、受光センサ５２がオンするように制御する。
【００７５】
浄化部５１による浄化動作が開始された後、浄化制御部６１ｂは、受光センサ５２が受光した紫外線の強度における単位時間あたりの変化率（即ち、透過された紫外線の強度を時間で微分した値。以下より、“透過光強度の変化率”と言う）に基づいて、浄化部５１の浄化動作を制御する。より具体的には、浄化制御部６１ｂは、透過光強度の変化率と所定の変化率とを比較する。ここで、透過光の強度が、時間の経過と共に図６に示すように変化した場合を考える。一般的に、水中の汚染物質の濃度が高い程、浄化部５１から照射される紫外線は汚染物質により吸収されるため、受光センサ５２が受光する透過光の強度は弱い。逆に、水中の汚染物質の濃度が低い程、紫外線が汚染物質に吸収されずに透過される確率が高くなるため、透過光の強度は高くなる。そのため、水中の汚染物質が浄化部５１から照射される紫外線により分解され続けている間は、図６の期間Ａのように、透過光の変化率は急激に変化する。そこで、浄化制御部６１ｂは、図６の期間Ａのように、透過光強度の変化率が所定の変化率よりも急である場合には、浄化動作及び受光動作が継続するように、浄化部５１及び受光センサ５２を制御する。また、図６の期間Ｂのように、透過光強度の変化率が所定の変化率よりも緩やかである場合には、浄化制御部６１ｂは、これ以上紫外線が照射されても汚染物質が分解されにくい程に汚染物質の濃度は低い状態であると判断し、浄化部５１による浄化動作を停止させると共に、受光センサ５２による受光動作を停止させる。
【００７６】
また、浄化制御部６１ｂは、透過光強度の変化率が所定の変化率よりも緩やかになっていなくても、浴槽循環路１６内の水の流れがなくなり、水流スイッチ１９ｂがオフした場合には、浄化部５１による浄化動作及び受光センサ５２による受光動作を停止させる。これにより、浄化部５１により無駄に紫外線が照射されることを防ぐことができる。また、受光センサ５２も停止するため、消費されるエネルギーをより節減することができる。
【００７７】
更に、浄化制御部６１ｂは、濃度演算部６１ａにより求められた水中の汚染物質の濃度に基づいて、浄化部５１が照射する紫外線の強度を制御する。例えば、浄化制御部６１ｂは、図７（ａ）に示すように、水中の汚染物質の濃度が高い程、浄化部５１が照射する紫外線の強度を高め、逆に水中の汚染物質の濃度が低い程、浄化部５１が照射する紫外線の強度を低くする。尚、図７（ａ）のグラフは、水中の汚染物質を分解可能な紫外線の強度を、水の汚染物質の濃度毎に表したものであって、予めメモリ６２に格納されている。この場合、浄化制御部６１ｂは、演算された汚染物質の濃度を図７（ａ）に当てはめることで、浄化部５１が照射する紫外線の強度を決定することができる。
【００７８】
〔ポンプ制御部〕
ポンプ制御部６１ｃは、浴槽循環ポンプ１７の駆動制御や、浴槽循環ポンプ１７の回転数制御を行う。例えば、ポンプ制御部６１ｃは、以下の条件のいずれかが満たされた場合、浴槽循環ポンプ１７の駆動を開始させる。
（Ｉ）リモートコントローラ４における追い炊き運転指示ボタンが押された場合。
（ＩＩ）浴槽１３内の水の温度が設定温度以下となった場合。
（ＩＩＩ）浴槽１３内に水が蓄えられてから一定時間が経過した場合。
（ＩＶ）リモートコントローラ４における浄化運転指示ボタンが押された場合。
上記条件（Ｉ），（ＩＩ）は、追い炊き部１１による追い炊き動作が開始される条件であって、上記条件（ＩＩＩ），（ＩＶ）は、追い炊き動作の実行の有無に関係なく、浄化動作が開始される条件である。このように、上記条件のいずれかが満たされ、ポンプ制御部６１ｃが浴槽循環ポンプ１７の駆動を開始させると、浴槽循環路１６には浴槽１３からの水が流れて水流スイッチ１９ｂがオンとなるため、浄化動作が行われるようになる。特に、上記条件（Ｉ），（ＩＩ）が満たされた場合には、追い炊き動作と共に浄化動作が行われる。
【００７９】
また、ポンプ制御部６１ｃは、濃度演算部６１ａにより求められた水中の汚染物質の濃度に基づいて、浴槽循環ポンプ１７の回転数を制御する。例えば、ポンプ制御部６１ｃは、図７（ｂ）に示すように、水中の汚染物質の濃度が高い程、浴槽循環ポンプ１７の回転数が小さくなるように浴槽循環ポンプ１７を制御し、逆に水中の汚染物質の濃度が低い程、浴槽循環ポンプ１７の回転数が高くなるように浴槽循環ポンプ１７を制御する。すると、浴槽循環ポンプ１７の回転数が小さくなる程浴槽循環路１６を流れる水の量は少なくなり、逆に浴槽循環ポンプ１７の回転数が大きくなる程浴槽循環路１６を流れる水の量は多くなる。このように、ポンプ制御部６１ｃは、求められた水中の汚染物質の濃度に基づいて浴槽循環ポンプ１７の回転数制御を行うことで、浴槽循環路１６を流れる水の量を制御することができる。そのため、浄化部５１による水の浄化動作は、より確実に行われるようになる。
【００８０】
尚、図７（ｂ）のグラフは、浴槽循環ポンプ１７の回転数を、水中の汚染物質の濃度毎に表したものであって、図７（ａ）と同様、予めメモリ６２に格納されている。この場合、ポンプ制御部６１ｃは、演算により求められた水中の汚染物質の濃度を図７（ｂ）に当てはめることで、浴槽循環ポンプ１７の回転数決定することができる。
【００８１】
また、本実施形態に係る浄化ユニット５とは、図４に示すように、浄化部５１、受光センサ５２、濃度演算部６１ａ、浄化制御部６１ｂ、ポンプ制御部６１ｃに加え、リモートコントローラ４の表示部４２が含まれているとする。
【００８２】
（３）動作
次に、給湯システム２００、特に、本実施形態の一特徴である浄化ユニット５の動作について、図８を用いて説明する。
【００８３】
ステップＳ１：給湯システム２００の利用者によりリモートコントローラ４を介して浴槽１３への水の供給が指示されると、加熱給湯部１は、設定された温度の水を浴槽１３に供給する。水位センサ１９ａは、浴槽１３に蓄えられた水の水位を検出する。そして、浴槽１３に蓄えられた水の水位が設定された水位となると、加熱給湯部１は、浴槽１３への水の供給を停止する。
【００８４】
ステップＳ２〜４：浴槽１３に水が蓄えられている状態で、リモートコントローラ４における追い炊き運転指示ボタンが押された場合や（Ｓ２）、浴槽１３中の水の温度が設定温度以下となった場合には（Ｓ３）、加熱給湯部１は、追い炊き運転を行う（Ｓ４）。この時、制御部６は、浴槽１３中の水が浴槽循環路１６中を流れ、追い炊き熱交換部１８で熱交換されてから浴槽１３に戻されるように、浴槽循環ポンプ１７及び追い炊き熱交換部１８等を駆動させる。
【００８５】
ステップＳ５〜７：ステップＳ１において浴槽１３に水を蓄える動作が完了してから一定時間が経過した場合や（Ｓ５）、リモートコントローラ４における浄化運転指示ボタンが押された場合には（Ｓ６）、浄化ユニット５は、水の浄化運転を行う（Ｓ７）。この時、ポンプ制御部６１ｃは、浴槽１３中の水が浴槽循環路１６中を流れ、浴槽１３に戻されるように、浴槽循環ポンプ１７を駆動させる。尚、この場合は、加熱給湯部１による追い炊き運転は行われず、水の浄化運転のみが行われても良い。
【００８６】
ステップＳ８〜９：水流スイッチ１９ｂが、浴槽循環路１６中を流れる水を検知してオンになると（Ｓ８）、浄化ユニット５の浄化制御部６１ｂは、浄化部５１が紫外線の照射を開始し受光センサ５２がオンするように、浄化部５１及び受光センサ５２を制御する（Ｓ９）。これにより、紫外線は、浴槽循環路１６を流れる加熱前の水に照射される。そして、紫外線のうち、水に含まれる汚染物質により吸収されず水を透過した紫外線は、受光センサ５２により受光される。
【００８７】
ステップＳ１０：濃度演算部６１ａは、受光センサ５２が受光した透過光（即ち、紫外線）の強度に基づいて水中の汚染物質の濃度を求め、これをメモリ６２に一時的に記憶させる。ここで、濃度演算部６１ａにより求められた汚染物質の濃度と、リモートコントローラ４の表示部４２に現在表示されている汚染度４２ｂとが異なる場合には、新たに求められた汚染物質の濃度は、通信インターフェース６３を介してリモートコントローラ４に送られ、表示部４２に表示される。
【００８８】
ステップＳ１１：ポンプ制御部６１ｃは、ステップＳ１０で求められた水中の汚染物質の濃度に基づいて浴槽循環ポンプ１７の回転数を制御する。浄化制御部６１ｂは、求められた水中の汚染物質の濃度に基づいて浄化部５１が照射する紫外線の強度を制御する。これにより、浄化部５１からは、汚染物質の濃度に応じた強度を有する紫外線が照射され、水中の汚染物質は確実に分解される。このようにして浄化された水は、追い炊き熱交換器１８で加熱された後、浴槽吐出口１３ｂを介して浴槽１３に供給される。
【００８９】
ステップＳ１２〜１４：受光センサ５２が受光した透過光強度の変化率が所定の変化率以下である場合（Ｓ１２のＹＥＳ）、または水流スイッチ１９ｂがオフとなった場合（Ｓ１３のＹＥＳ）のいずれか一方を満たすには、浄化制御部６１ｂは、浄化部５１による紫外線照射を停止させると共に、受光センサ５２の受光動作を停止させる（Ｓ１４）。尚、透過光強度の変化率が所定の変化率よりも大きい場合（Ｓ１２のＮｏ）、及び水流スイッチ１９ｂがオンのままである場合（Ｓ１３のＮｏ）の両方を満たす場合には、ステップＳ１０以降の動作が繰り返される。
【００９０】
ステップＳ１５：浴槽１３が、水を蓄えた状態である場合（Ｓ１５のＮｏ）には、ステップＳ２以降の動作が繰り返される。浴槽１３中の水が排出され、浴槽１３が水を蓄えた状態でない場合には（Ｓ１５のＹＥＳ）、給湯システム２００（特に浄化ユニット５）は、一連の動作を終了する。
【００９１】
（４）効果
（Ａ）
浄化ユニット５によると、浄化部５１から照射される光は、水中の汚染物質の濃度を求める時にも用いられる。そのため、水を浄化するための浄化用の光源と、水中の汚染物質の濃度を求めるために水中に光を照射する濃度演算用の光源とを、別々に設けずに済む。従って、コストを削減することができる他、浄化ユニット５自体が小型化するため、浄化ユニット５を比較的小さいスペースに設置することができる。
【００９２】
（Ｂ）
また、浄化部５１が照射する光が紫外線であることにより、水中の汚染物質を分解することができる。
【００９３】
（Ｃ）
また、浄化ユニット５は、受光センサ５２が受光した透過光の強度に基づいて、浄化部５１による浄化運転の開始及び終了や、浄化の度合い等を制御する。これにより、浄化対象となる水の浄化度を適切に保つことができる。
【００９４】
（Ｄ）
特に、浄化ユニット５の浄化制御部６１ｂは、受光センサ５２が受光した透過光強度の変化率が所定の変化率のよりも急である時には、水中の汚染物質の濃度が変化可能な状態にあると判断し、浄化部５１による紫外線の照射を継続させる。また、透過光強度の変化率が所定の変化率よりも緩やかである時には、浄化制御部６１ｂは、水中の汚染物質の濃度が比較的変化しない程度にまで至ったと判断し、浄化部５１による紫外線の照射を停止させる。これにより、水中の汚染物質の濃度は、適切な値に減少される。
【００９５】
（Ｅ）
また、浄化制御部６１ｂは、水中の汚染物質の濃度が高い程紫外線の強度を強めるように、浄化部５１が照射する紫外線の強度を制御する。これにより、水中の汚染物質を適切に分解することができる。
【００９６】
（Ｆ）
また、浄化制御部６１ｂは、浴槽循環路１６内を流れる水の量が所定量以下である場合（具体的には、浴槽循環路１６内を水が流れていない場合）、浄化部５１による紫外線の照射を停止させる。これにより、浄化部５１が紫外線を照射する際に消費されるエネルギーを節減することができると共に、紫外線により浴槽循環路１６の配管が劣化することを防止することができる。
【００９７】
（Ｇ）
更に、浄化制御部６１ｂは、浴槽循環路１６内を流れる水の量が所定量以下である場合（具体的には、浴槽循環路１６内を水が流れていない場合）、受光センサ５２の受光動作を更にオフさせる。これにより、光照射式浄化部５１による光の照射のみを停止させる場合よりも、消費されるエネルギーをより節減することができる。また、浴槽循環路１６内を流れる水の量が適切でないと、光の反射、屈折、散乱等の影響により、受光センサ５２は光を正確には受光できなくなる。しかし、本実施形態に係る浄化ユニット５の受光センサ５２は、浴槽循環路１６内を流れる水の量が所定量以下である時は停止し、浴槽循環路１６内を流れる水の量が所定量よりも多い時にのみ受光を行う。これにより、受光センサ５２は、安定した強度を有する光を受光することができる。
【００９８】
（Ｈ）
また、ポンプ制御部６１ｃは、水中の汚染物質の濃度が高い程、浴槽循環路１６を流れる水の量が少なくなり、また水中の汚染物質の濃度が低い程、浴槽循環路１６を流れる水の量が多くなるように、浴槽循環ポンプ１７の回転数を制御する。これにより、浴槽１３には、確実に浄化された水が供給されるようになる。
【００９９】
（Ｉ）
また、リモートコントローラ４の表示部４２には、濃度演算部６１ａにより求められた水中の汚染物質の濃度が表示されるため、利用者は、水中の汚染物質の濃度を知ることができる。
【０１００】
（Ｊ）
また、図１に示すように、浄化部５１は、追い炊きされる前の水に紫外線を照射できる位置に配置され、受光センサ５２は、追い炊きされる前の水を透過した光を受光する位置に配置されている。そのため、浄化部５１は、追い炊きされた後の水に紫外線を照射する位置に配置されるよりも、水の温度による影響を受けずに済む。従って、紫外線照射式の浄化部５１及び受光センサ５２を、追い炊きされた後の水に紫外線を照射及び受光する位置にそれぞれ配置する場合よりも、浄化部５１及び受光センサ５２の寿命を長くすることができる。
【０１０１】
＜その他の実施形態＞
（ａ）
上記実施形態では、浄化部５１が紫外線を照射する場合について説明したが、浄化部５１が照射する光は、互いに異なる波長領域を有する光を複数含んでいてもよい。例えば、浄化部５１が照射する光には、紫外線及び可視光線の両方が含まれている場合が挙げられる。この場合の浄化ユニット５’は、図９に示すように、２つの浄化部５１ａ，５１ｂ、及び２つの受光センサ５２ａ，５２ｂで構成され、これらは浴槽循環路１６に配置される。
【０１０２】
具体的には、２つの浄化部５１ａ，５１ｂのうち、浄化部５１ａは、浴槽循環路１６を流れる水に紫外線を照射し、浄化部５１ｂは、可視光線を照射する。そして、２つの受光センサ５２ａ，５２ｂのうち、受光センサ５２ａは、浄化部５１ａから照射され水を透過した紫外線を受光し、受光センサ５２ｂは、浄化部５１ｂから照射され水を透過した可視光線を受光する。
【０１０３】
このような構成を有する浄化ユニット５’によると、浴槽循環路１６を流れる水の中に汚染物質と汚染物質以外の物質（例えば、泡や浮遊物）とが含まれている場合、浄化部５１ａから照射される紫外線は、汚染物質及び汚染物質以外の物質の両方により吸収され易い。しかし、浄化部５１ｂから照射される可視光線は、汚染物質以外の物質においては吸収されても、汚染物質においては透過される。
【０１０４】
そこで、濃度演算部６１ａは、受光センサ５２ａが受光した紫外線の強度と受光センサ５２ｂが受光した可視光線の強度との差から、汚染物質により吸収された紫外線の強度を算出し、水中の汚染物質の濃度を求める。これにより、濃度の測定対象となる水中に、汚染物質以外の要素が含まれていても、水中の汚染物質の濃度は、この影響を受けることなく演算される。
【０１０５】
また、互いに異なる波長領域を有する光が各浄化部から照射される場合、照射される光は、紫外線及び可視光線の組み合わせ以外であってもよい。例えば、水中に泡や浮遊物以外に入浴剤が含まれている場合には、可視光線の代わりに、入浴剤の影響を受けることなく汚染物質の濃度が算出可能な光を用いることができる。
【０１０６】
（ｂ）
ところで、浄化部５１が照射する光の強度及び波長は、浴槽循環路１６を流れる水の温度の影響により、ドリフトしてしまう場合がある。光の強度及び波長のドリフト量が多い程、浄化部５１は適切に制御されなくなってしまう。
【０１０７】
そこで、このような場合には、浄化ユニットは、浴槽循環路１６を流れる水の温度に基づいて、光の強度や推定された水の汚染度を補正するとよい。この場合の浄化ユニットの模式図を、図１０に示す。図１０の浄化ユニット５’’は、上記実施形態に係る図１の浄化ユニット１に加え、温度補正部６１ｄとサーミスタＴｈ８とを更に備える。ここで、図１０における温度補正部６１ｅ以外のその他の各機能部は、図１における浄化ユニット１の各機能部と同様であるため、同一の符号を付している。同一の符号を付した各機能部については、説明を省略する。尚、サーミスタＴｈ８は、上記実施形態と同様、浴槽循環路１６に配置され、浴槽循環路１６内を流れる水の温度を検知する。
【０１０８】
温度補正部６１ｄは、光が照射する光の強度及び水の汚染度の少なくとも１つを、サーミスタＴｈ８により検知された水の温度に基づいて補正する。より具体的には、温度補正部６１ｄは、サーミスタＴｈ８の温度毎に、受光センサ５２が受光した光の強度のドリフト幅を予め測定しておき、これをメモリ６２に記憶しておく。そして、温度補正部６１ｄは、メモリ６２に記憶されたドリフト幅を用いて、光の強度を補正する。尚、この場合、濃度演算部６１ａは、補正された光の強度を用いて水の汚染度を推定する。また、推定された水の汚染度を補正する場合も、光の強度の場合と同様である。即ち、温度補正部６１ｄは、補正がなされていない光の強度及を用いて推定された水の汚染度のドリフト幅を、サーミスタＴｈ８の温度毎に予め測定してメモリ６２に記憶しておき、これを用いて推定された水の汚染度を補正する。
【０１０９】
そして、浄化制御部６１ｂは、温度補正部６１ｄにより補正された光の強度及び水の汚染度の少なくとも１つに基づいて、浄化部５１を制御する。尚、浄化部５１の制御の具体的な内容については、上記実施形態と同様であるため、説明を省略する。
【０１１０】
このような方法により、浄化ユニット５’’は、ドリフトした光の強度及び波長の影響を受けることなく、光式照射浄化部５１を適切に制御することができる。
【０１１１】
（ｃ）
上記実施形態では、図１に示すように、浄化ユニット５の浄化部５１及び受光センサ５２が、追い炊き熱交換部１８により加熱される前の水を浄化可能な位置に配置されている場合について説明した。しかし、浄化部５１及び受光センサ５２の位置は、これに限定されない。例えば、浄化部５１及び受光センサ５２は、追い炊き熱交換部１８により加熱された後の水を浄化可能なように、浴槽循環路１６のうち、水の流れる方向が追い炊き熱交換部１８よりも下流側となる位置に配置されてもよい。
【０１１２】
また、浄化部５１及び受光センサ５２は、例えば給湯部１０の給湯路１００や水栓給湯路１０４、浴槽給湯路１０５等に設けられても良い。この場合、浄化ユニット５は、水源からの水や、熱源ユニット２により加熱された後の水を浄化する。
【０１１３】
（ｄ）
上記実施形態では、浄化制御部６１ｂが、受光センサ５２が受光した透過光の強度から浄化部５１の浄化動作の終了を直接制御する場合について説明したが、これに限定されない。浄化制御部６１ｂは、浄化動作を終了させるか否かを透過光の強度から直接制御するのではなく、濃度演算部６１ａにより求められた水中の汚染物質の濃度に基づいて、浄化部５１の浄化動作の終了を制御してもよい。この場合の一例としては、例えば以下の方法が挙げられる。
【０１１４】
浄化制御部６１ｂは、求められた水中の汚染物質の濃度と所定の値とを比較する。そして、水中の汚染物質の濃度が所定値以上である場合には、浄化制御部６１ｂは、浄化動作が行われるように浄化部５１を制御する。また、水中の汚染物質の濃度が所定値未満である場合には、浄化制御部６１ｂは、浄化動作が停止されるように浄化部５１を制御する。
【０１１５】
（ｆ）
浄化対象となる水の中に、泡や浮遊物等があると、一時的に受光センサ５２が受光する透過光の強度が低下する恐れがある。そのため、浄化制御部６１ｂは、透過光強度の変化率に基づいて浄化動作の制御を行う場合には、透過光の強度について積算処理を行ったり、透過光強度の変化率を算出する時の単位時間を適宜変更させたりして、透過光強度を算出するとよい。これにより、浄化制御部６１ｂは、透過光強度の変化率を、より安定して求めることができるため、浄化部５１の制御をより確実に行うことができる。
【０１１６】
（ｇ）
上記実施形態では、水中の汚染物質の濃度がリモートコントローラ４の表示部４２に表示される場合について説明したが、水の汚染物質の濃度が報知される方法は、これに限定されない。例えば、水の汚染物質の濃度は、音声や、音声及び表示の組み合わせ等により、給湯システム２００を利用する利用者に報知されてもよい。
【産業上の利用可能性】
【０１１７】
本発明に係る浄化ユニットは、省スペースに設置することができる効果を有し、給湯システム等の水を供給するためのシステムに適用することができる。
【図面の簡単な説明】
【０１１８】
【図１】本実施形態に係る給湯システムの構成を示す図。
【図２】熱源ユニットの構成を示す図。
【図３】リモートコントローラの外観図。
【図４】給湯システム及び浄化ユニットの制御部分の構成を模式的に示すブロック図。
【図５】浄化ユニットの浄化部及び受光センサが設けられた浴槽循環路の断面図。
【図６】経時的に変化する透過光強度を示す図。
【図７】（ａ）汚染物質の濃度と浄化部が照射する紫外線の強度との関係を示すグラフ。  （ｂ）汚染物質の濃度と浴槽循環ポンプの回転数との関係を示すグラフ。
【図８】本実施形態に係る浄化ユニットの動作の流れを示すフロー図。
【図９】その他の実施形態（ａ）に係る浄化ユニットの浄化部及び受光センサが設けられた浴槽循環路の断面図。
【図１０】その他の実施形態（ｂ）に係る浄化ユニットが採用された給湯システムの制御部分の構成を模式的に示すブロック図。
【符号の説明】
【０１１９】
１  加熱給湯部
２  ヒートポンプユニット
４  リモートコントローラ
４２  表示部
５、５’、５’’  浄化ユニット
６  制御部
６１  ＣＰＵ
６１ａ  濃度演算部
６１ｂ  浄化制御部
６１ｃ  ポンプ制御部
６１ｄ  温度補正部
６２  メモリ
１０  給湯部
１１  追い炊き部
１２  水栓
１３  浴槽
１６  浴槽循環路
１７  浴槽循環ポンプ
１８  追い炊き熱交換部
１９ｂ  水流スイッチ
５１、５１ａ、５１ｂ  浄化部
５２、５２ａ、５２ｂ  受光センサ
２００  給湯システム
【図１】
2008302288.tif 000003
【図２】
2008302288.tif 000004
【図３】
2008302288.tif 000005
【図４】
2008302288.tif 000006
【図５】
2008302288.tif 000007
【図６】
2008302288.tif 000008
【図７】
2008302288.tif 000009
【図８】
2008302288.tif 000010
【図９】
2008302288.tif 000011
【図１０】
2008302288.tif 000012